(57)【特許請求の範囲】
【請求項１】
使用者の首に掛けられまたは使用者の衣服に装着されて吊り下げられるカードホルダであって、
各々がカードを保持するためのホルダを有し、各ホルダに保持させたカードが重なる状態となるように上端部同士が接合されている複数の面板部と、
前記面板部における接合された上端部の下縁とホルダとの間に介在し、幅方向に伸びる溝状または薄肉化した帯状をなすヒンジと
を具備するカードホルダ。
【請求項２】
前記面板部における接合された上端部の下縁とホルダとの間に前記ヒンジが複数本設けられている請求項１記載のカードホルダ。
【請求項３】
前記面板部における接合された上端部の下縁とホルダとの間の領域の左右両側縁に、内側方に凹むような切欠が形成されている請求項１または２記載のカードホルダ。
【請求項４】
前記ホルダは、前記複数の面板部の互いに向き合う内面側に設けられ、その内面側にカードを保持するものである請求項１、２または３記載のカードホルダ。
【請求項５】
前記ホルダが蓋付きのポケットであり、
前記蓋における前記面板部に接合された上端部の下縁よりも下方の部位に、幅方向に伸びる溝状または薄肉化した帯状をなすヒンジが設けられている請求項１、２、３または４記載のカードホルダ。
【発明の詳細な説明】
【技術分野】
【０００１】
本発明は、ＩＤカードや名札、名刺等のカードを収容して保持するとともに当該カードを外部に表示させるためのカードホルダに関する。
【背景技術】
【０００２】
使用者の首に掛けられ、または使用者の衣服に装着されて吊り下げられるカードホルダが既知である（例えば、下記特許文献を参照）。
【０００３】
近時、事業所内のセキュリティ対策として、入退室管理を含むセキュリティシステムの導入とともに、個人認証のためのＩＤカードを各人に配布することが増えている。ＩＤカードとしては、磁気ストライプカードの他、ＲＦＩＤ（Ｒａｄｉｏ  Ｆｒｅｑｕｅｎｃｙ  ＩＤｅｎｔｉｆｉｃａｔｉｏｎ）を用いる非接触式ＩＣカードが普及しつつある。
【０００４】
一人が複数枚のセキュリティカードを所持して運用することも多い。比較的大規模な事業所等は言うまでもなく、雑居ビルであっても、当該ビルの入口、各テナントの入居先の入口、さらにはその内部の特定の室の入口等、セキュリティシステムを配した関門が複数存在しており、その各々に対応した複数枚のＩＤカードを所持しなければならないケースがある。また、個人認証用途以外に、電子マネーによる各種決済の際に使用されるＩＣカード等も存在している。
【０００５】
一人が複数枚のカードを持つ場合、単一のカードポケットを有する従来のカードホルダでは、必要なカードのみを速やかに取り出して提示することが必ずしも容易でない。さらに、単一のポケットに複数枚のＩＣカードを重ねた状態で詰め入れていると、これをカードリーダ（ＲＦＩＤリーダ）にかざしたときに、各ＩＣカードとカードリーダとの通信が互いに干渉し合うことがある。
【先行技術文献】
【特許文献】
【０００６】
【特許文献１】特開２０１４−１３４２２８号公報
【発明の概要】
【発明が解決しようとする課題】
【０００７】
本発明は、複数枚のカードを一纏めにして所持しながら運用するのに適したカードホルダを提供しようとするものである。
【課題を解決するための手段】
【０００８】
本発明では、使用者の首に掛けられまたは使用者の衣服に装着されて吊り下げられるカードホルダであって、各々がカードを保持するためのホルダを有し、各ホルダに保持させたカードが重なる状態となるように上端部同士が接合されている複数の面板部と、前記面板部における接合された上端部の下縁とホルダとの間に介在し、幅方向に伸びる溝状または薄肉化した帯状をなすヒンジとを具備するカードホルダを構成した。
【０００９】
前記ヒンジは、前記面板部における接合された上端部の下縁とホルダとの間に複数本設けられることが好ましい。
【００１０】
加えて、前記面板部における接合された上端部の下縁とホルダとの間の領域の左右両側縁に、内側方に凹むような切欠が形成されていることが好ましい。さすれば、複数の面板部のうちの一つをヒンジに沿って屈曲させ当該面板部のホルダに保持させたカードを持ち上げる操作をより一層円滑に行い得る。
【００１１】
前記ホルダは、例えば、前記複数の面板部の互いに向き合う内面側に設けられ、その内面側にカードを保持するものとする。
【００１２】
前記ホルダが蓋付きのポケットである場合には、前記蓋における前記面板部に接合された上端部の下縁よりも下方の部位に、幅方向に伸びる溝状または薄肉化した帯状をなすヒンジが設けられていることが好ましい。
【発明の効果】
【００１３】
本発明によれば、複数枚のカードを一纏めにして所持しながら運用するのに適したカードホルダを提供することができる。
【図面の簡単な説明】
【００１４】
【図１】本発明の一実施形態のカードホルダの斜視図。
【図２】同実施形態のカードホルダの一方の面板部を持ち上げた状態を示す斜視図。
【図３】同実施形態のカードホルダの背面図。
【図４】同実施形態のカードホルダの他方の面板部を持ち上げた状態を示す背面図。
【図５】同実施形態のカードホルダの分解斜視図。
【図６】同実施形態のカードホルダの要部拡大側断面図。
【図７】本発明の変形例の一を示す要部拡大側断面図。
【発明を実施するための形態】
【００１５】
本発明の一実施形態を、図面を参照して説明する。図１ないし図６に示す本実施形態のカードホルダＡは、カードＫを保持するためのホルダ１０、２０を複数備え、各ホルダ１０、２０にそれぞれカードＫを収容することで複数枚のカードＫを一纏めにして所持できるものである。
【００１６】
本実施形態のカードホルダＡは、各々ホルダ１０、２０を有した二つの面板部１、２の上端部１１１、２１１同士を接合してなる。ホルダ１０、２０は、上方から（上下方向に沿って）カードＫを出し入れすることができる蓋１３、２３付きのポケット１０、２０である。各ポケット１０、２０はそれぞれ、面板部１、２における両面板部１、２が互いに向き合う内面側に設けてある。従って、本実施形態のカードホルダＡは、二つ折り状となった面板部１、２の内面側にカードＫを保持するものであると言える。図１及び図３に示すように、各ポケット１０、２０に差し入れて保持させた複数枚のカードＫは、正面視互いに重なり合う状態となる。
【００１７】
図５に示すように、各面板部１、２は、外面側に表出する外面板１１、２１と、外面板１１、２１の内面側に接合して外面板１１、２１とともにポケット１０、２０を構成する内面板１２、２２と、ポケット１０、２０の蓋を構成するフラップ板１３、２３とを要素とする。外面板１１、２１、内面板１２、２２及びフラップ板１３、２３はそれぞれ、全体が例えばオレフィン等の軟質樹脂を素材として作製される。これら外面板１１、２１、内面板１２、２２及びフラップ板１３、２３は、何れも略無色で透明である。
【００１８】
外面板１１、２１及び内面板１２、２２は、正面視略方形状の外形をなす。外面板１１、２１の上下寸法は、内面板１２、２２の上下寸法よりもやや大きい。内面板１２、２２の下縁及び左右両側縁はそれぞれ、外面板１１、２１の下縁及び左右両側縁に溶着（特に、熱溶着）等により接合する。これにより、上方が開放し下方及び側方が閉じたポケット１０、２０が形成される。内面板１２、２２の上縁よりも上方に迫り出した各外面板１１、２１の上端部１１１、２１１は、相手方の面板部２、１の外面板２１、１１の上端部２１１、１１１に接合するための接合代となる。
【００１９】
図２、図４及び図５に示すように、内面板１２、２２の上縁の中央部位には、下方に凹むような切欠１２１、２２１を形成している。切欠１２１、２２１は、ポケット１０、２０に対してカードＫを出し入れする際にカードＫに手指を掛けられるようにするためのものである。並びに、内面板１２、２２の上縁の左右両側部位にも、下方に凹む切欠１２２、２２２を形成してある。左右両側の切欠１２２、２２２は、ポケット１０、２０の上縁を撓みやすくしてカードＫの出し入れを円滑化するためのもので、中央の切欠１２１、２２１と比較して小さい。
【００２０】
図６に示すように、外面板１１、２１における、ポケット１０、２０の上辺、底辺及び左右の側辺の近傍の部位１１７、２１７は、内面板１２、２２から離反する方向即ち外面方向に屈折させている。これにより、ポケット１０、２０を構成する外面板１１、２１と内面板１２、２２との間に若干の距離を確保している。つまり、ポケット１０、２０にマチ１１７、２１７を設けている。
【００２１】
一方の面板部１の外面板１の上端部１１１と他方の面板部２の外面板２の上端部２１１とは、溶着等により接合する。内面同士を密接させるように重ねて接合した両外面板１１、２１の上端部１１１、２１１は、面板部１、２の他の部位と比較して剛性が高まる。接合した上端部１１１、２１１の幅方向に伸びる下縁１１３、２１３は、一方の面板部１を他方の面板部２に対し相対的に変位させる、換言すれば何れかの面板部１、２の下縁を持ち上げるように水平軸回りに面板部１、２を回動させる操作を行う際のヒンジとなり得る。また、一方の面板部１の上端部１１１の下縁１１３近傍の部位は、他方の面板部２から離反する方向即ち外面方向に屈折している。これにより、一方の面板部１と他方の面板部２との間に若干の距離を確保している。
【００２２】
図１、図３及び図５に示すように、面板部１、２の上端部１１１、２１１には、これを貫通する複数の孔１１２、２１２を穿ってある。長孔１１２、２１２や丸孔１１２、２１２は、当該カードホルダＡを使用者の首に掛けるために使用される紐（ストラップ）４や、当該カードホルダＡを使用者の衣服に装着するための安全ピンやクリップ等の装着具（図示せず）を取り付ける目的で利用できる。図１に示す例では、上端部１１１、２１１の中央部位に位置し幅方向に拡張した長孔１１２、２１２にフック３を係合させ、そのフック３に紐４を係留させるようにして、フック３を介して紐４をカードホルダＡに取り付けている。
【００２３】
図６に示すように、面板部１の上端部１１１における孔１１２の周縁部位は、外面（正面）方向に向けて僅かながら突出する突条１１８となっている。これに加え、面板部１の上端部１１１の外周に沿って、孔１１２を取り巻くように突条１１９を設けている。
【００２４】
各面板部１、２の外面板１１、２１が透明であることから、図１に示すように、一方のポケット１０に収容したカードＫをカードホルダＡの正面側（面板部１の外面側）から視認できるとともに、図３に示すように、他方のポケット２０に収容したカードＫをカードホルダＡの背面側（面板部２の外面側）から視認できる。
【００２５】
図１、図５及び図６に示すように、一方の面板部１における上端部１１１とポケット１０との間の部位には、幅方向に伸びる細い溝状のヒンジ１１４、１１５を形成している。面板部１におけるヒンジ１１４、１１５の所在する箇所は、他の部位と比較して板厚が薄くなり、その分剛性が低下する。このため、ヒンジ１１４、１１５に沿って面板部１を屈曲させることが容易となる。両面板部１、２のポケット１０、２０にそれぞれカードＫを収容している場合において、一方のポケット１０に収容したカードＫのみ、または他方のポケット２０に収容したカードＫのみをカードリーダにかざしたいときには、一方の面板部１をヒンジ１１４、１１５に沿って屈曲させ、ポケット１０及びこれに収容したカードＫを持ち上げるように回動させればよい。さすれば、図２に示すように、一方のポケット１０に収容したカードＫを他方のポケット２０に収容したカードＫから離反させることができ、対象のカードＫに記録されている情報をカードリーダに適正に読み出させることが可能となる。他方のポケット２０に収容したカードＫのみを提示したいときにも、一方のポケット１０及びこれに収容したカードＫを持ち上げるように回動させる操作を行えばよい。ポケット１０、２０の一部をなす内面板１２、２２が透明であることから、図２に示しているように、他方のポケット２０に収容したカードＫをカードホルダＡの正面側（面板部２の内面側）から視認できる。並びに、一方のポケット１０に収容したカードＫについても、これをカードホルダＡの正面側（面板部１１の内面側）から視認できる。
【００２６】
図４、図５及び図６に示すように、他方の面板部２における上端部２１１とポケット２０との間の部位には、一方の面板部１と同様に、幅方向に伸びる細い溝状のヒンジ２１４、２１５を形成してある。面板部２におけるヒンジ２１４、２１５の所在する箇所は、他の部位と比較して板厚が薄くなって剛性が低下する。これにより、ヒンジ２１４、２１５に沿って他方の面板部２を屈曲させることが容易となり、図４に示しているように他方のポケット２０及びこれに収容したカードＫを持ち上げるように回動させる操作を簡便に行い得る。
【００２７】
加えて、図１、図３及び図５に示すように、各面板部１、２における接合された上端部１１１、２１１とポケット１０、２０との間の領域、より具体的には上端部１１１、２１１の下縁１１３、２１３と最上位のヒンジ１１４、２１４とで挟まれた領域の左右両側縁に、内側方に凹むような切欠１１６、２１６を形成している。予めこのような切欠１１６、２１６を設けておくことで、面板部１、２における上端部１１１、２１１とポケット１０、２０との間の領域の剛性が低下し、面板部１、２がより曲がりやすくなる。さらには、面板部１、２の側縁に亀裂が生ずることを抑制できる。
【００２８】
ポケット１０、２０の蓋となるフラップ板１３、２３は、上下寸法が小さく幅方向に伸長した帯状体１３２、２３２から蓋片１３１、２３１が下方に垂下した形状をなす。蓋１３、２３の上端部にあたる帯状体１３２、２３２は、面板部１、２の内面側に当該蓋１３、２３を取り付けるための接合代となる。本実施形態では、フラップ板１３、２３の帯状体１３２、２３２を、面板部１、２の上端部１１１、２１１とポケット１０、２０との間の領域、より具体的には外面板１１、２１の内面におけるヒンジ１１４とヒンジ１１５とで挟まれた領域に、溶着等により接合する。フラップ板１３、２３の帯状体１３２、２３２を面板部１、２の外面板１１、２１に接合した状態で、蓋片１３１、２３１がポケット１０、２０を構成する内面板１２、２２の上端部位に覆い被さる。
【００２９】
図２、図４、図５及び図６に示すように、帯状体１３２、２３２の下縁よりも下方にある蓋片１３１、２３１の上端部位には、幅方向に伸びる細い溝状のヒンジ１３３、１３４、２３３、２３４を形成している。フラップ板１３、２３におけるヒンジ１３３、１３４、２３３、２３４の所在する箇所は、他の部位と比較して板厚が薄くなり、その分剛性が低下する。このため、ヒンジ１３３、１３４、２３３、２３４に沿ってフラップ板１３、２３の蓋片１３１、２３１を屈曲させることが容易となる。図６に示しているように、ポケット１０、２０にカードＫを収容すると、そのカードＫの厚みにより内面板１２、２２が内方に膨らむと同時に、蓋片１３１、２３１もまたカードＫの厚みに応じて変形する。フラップ板１３、２３におけるヒンジ１３３、２３３とヒンジ１３４、２３４との間の領域は、蓋１３、２３のマチとなる。
【００３０】
本実施形態では、使用者の首に掛けられまたは使用者の衣服に装着されて吊り下げられるカードホルダＡであって、各々がカードＫを保持するためのホルダ１０、２０を有し、各ホルダ１０、２０に保持させたカードＫが重なる状態となるように上端部１１１、２１１同士が接合されている複数の面板部１、２と、前記面板部１、２における接合された上端部１１１、２１１の下縁１１３、２１３とホルダ１０、２０との間に介在し、幅方向に伸びる複数本のヒンジ１１３、１１４、１１５、２１３、２１４、２１５とを具備するカードホルダＡを構成した。
【００３１】
本実施形態によれば、複数枚のカードＫを一纏めにして所持しながら運用するのに適したカードホルダＡが実現される。即ち、一方の面板部１のホルダ１０に収容したカードＫのみを速やかに提示することができ、他方の面板部２のホルダ２０に収容したカードＫのみを速やかに提示することもできる。並びに、一方の面板部１のホルダ１０に収容したカードＫのみをカードリーダにかざし、または他方の面板部２のホルダ２０に収容したカードＫのみをカードリーダにかざすことも容易となる。
【００３２】
面板部１、２における接合された上端部１１１、２１１の下縁１１３、２１３よりも下方の部位にヒンジ１１４、１１５、２１４、２１５を設けているため、そのようなヒンジ１１４、１１５、２１４、２１５を設けない（上端部１１１、２１１の下縁１１３、２１３のみがヒンジとなる）場合と比較して、カードＫを保持した一対の面板部１、２が下方に向かうにつれ互いに離反する外方に（側面視ハの字を描くように）大きく拡がってしまうことが抑えられる。ひいては、使用者が当該カードホルダＡを身に付けているときに面板部１、２がばたつくことを抑制できる。
【００３３】
加えて、前記面板部１、２における接合された上端部１１１、２１１の下縁１１３、２１３とホルダ１０、２０との間の領域の左右両側縁に、内側方に凹むような切欠１１６、２１６を形成していることから、面板部１、２における当該部位がより変形しやすくなる。従って、使用者が何れかの面板部１、２の下縁を持ち上げるように面板部１、２を回動させる操作を行う際、その面板部１、２の左側方及び右側方がともに上方に持ち上がるようになる。つまり、面板部１、２の左側方または右側方のみが持ち上がって面板部１、２が捻れるようなことが起こりにくくなる。面板部１、２の左側縁または右側縁に応力が集中して面板部１、２に亀裂を発生させるおそれも低減する。
【００３４】
前記ホルダ１０、２０が、前記複数の面板部１、２の互いに向き合う内面側に設けられ、その内面側にカードＫを保持するものであるため、カードＫを好適に保護できるとともに、収容したカードＫがカードホルダＡから不意に脱落することを予防できる。
【００３５】
前記面板部１、２に、前記ホルダ１０、２０に保持させたカードＫが外面側から透けて見えるような透明な部分が設けられているため、ホルダ１０、２０に収容したカードＫを簡便に提示して他者に視認させることができる。
【００３６】
前記ホルダ１０、２０が蓋１３、２３付きのポケット１０、２０であり、前記蓋１３、２３における前記面板部１、２に接合された上端部１３２、２３２のよりも下方の部位に、幅方向に伸びる溝状をなす複数本のヒンジ１３３、１３４、２３３、２３４が設けられており、蓋１３、２３をポケット１０、２０に収容したカードＫの厚みに追従するように変形させることができる。このため、蓋１３、２３が面板部１、２を外面側に向けて徒に圧迫せず、一対の面板部１、２が互いに離反する外方に大きく拡がってしまうことが抑えられる。
【００３７】
本実施形態のカードホルダＡの面板部１、２は、必ずしも頑強ではない軟質樹脂製の薄板を用いて作製することが可能であり、低コストである。
【００３８】
なお、本発明は以上に詳述した実施形態に限られるものではない。例えば、図７に示すように、各面板部１、２の上端部１１１、２１１の下縁１１３、２１３とホルダ１０、２０との間に、上記実施形態のヒンジ１１４、１１５、２１４、２１５と比較して上下巾の太い、薄肉化した帯状をなして幅方向に伸びるヒンジ１１４ｘ、２１４ｘを設けるようにしてもよい。面板部１、２におけるヒンジ１１４ｘ、２１４ｘの所在する箇所は、他の部位と比較して板厚が薄くなり、その分剛性が低下するため、当該ヒンジ１１４ｘ、２１４ｘに沿って面板部１、２を屈曲させることが容易となる。
【００３９】
また、蓋１３、２３における上端部１３２、２３２の下縁より下方の部位において、上記実施形態のヒンジ１３３、１３４、２３３、２３４と比較して上下巾の太い、薄肉化した帯状をなして幅方向に伸びるヒンジ１３３ｘ、２３３ｘを設けるようにしてもよい。蓋１３、２３におけるヒンジ１３３ｘ、２３３ｘの所在する箇所は、他の部位と比較して板厚が薄くなり、その分剛性が低下するため、当該ヒンジ１３３ｘ、２３３ｘに沿って蓋１３、２３を屈曲させることが容易となる。
【００４０】
各面板部１、２の上端部１１１、２１１の下縁１１３、２１３とホルダ１０、２０との間に設けるヒンジ１１４、１１４ｘ、１１５、２１４、２１４ｘ、２１５の本数は、一本でもよいし、三本以上でもよい。蓋１３、２３における上端部１３２、２３２の下縁より下方の部位に設けるヒンジ１３３、１３３ｘ、１３４、２３３、２３３ｘ、２３４の本数もまた、一本でもよいし、三本以上でもよい。
【００４１】
カードホルダＡを構成する外面板１１、２１、内面板１２、２２及び蓋１３、２３は、その全てが透明であるとは限られない。それらのうち少なくとも一つまたは全てが不透明であることもあり得る。あるいは、外面板１１、２１の一部、内面板１２、２２の一部または蓋１３、２３の一部が不透明である態様も考えられる。
【００４２】
上記実施形態では、ホルダ１０、２０を有する面板部１、２が二つ存在していたが、三つ以上の面板部を接合してカードホルダを構成することを妨げない。
【００４３】
カードＫを保持するホルダ１０、２０の態様も、上記実施形態におけるものには限定されない。面板部１、２のホルダが、面板部１、２の左方または右方から幅方向に沿ってカードＫを出し入れできるようなポケット等であっても構わない。
【００４４】
その他各部の具体的構成は、本発明の趣旨を逸脱しない範囲で種々変形が可能である。
【産業上の利用可能性】
【００４５】
本発明は、ＩＤカードや名札、名刺等のカードを収容して保持するとともに当該カードを外部に表示させるためのカードホルダとして利用できる。
【符号の説明】
【００４６】
Ａ…カードホルダ
Ｋ…カード
１、２…面板部
１０、２０…ホルダ（ポケット）
１１３、１１４、１１４ｘ、１１５、２１３、２１４、２１５ｘ、２１５…面板部のヒンジ
１１６、２１６…面板部の側縁の切欠
１３、２３…蓋（フラップ）
１３２、２３２…蓋の上端部（帯状体）
１３３、１３３ｘ、１３４、２３３、２３３ｘ、２３４…蓋のヒンジ
【図１】
0006439464.tif 000002
【図２】
0006439464.tif 000003
【図３】
0006439464.tif 000004
【図４】
0006439464.tif 000005
【図５】
0006439464.tif 000006
【図６】
0006439464.tif 000007
【図７】
0006439464.tif 000008